【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
タッチパネル機能を有し操作画面を表示する第一の表示部および第二の表示部と、
本体が保持されていることを検出する保持検出手段、または使用者と本体との対向角度を検出する対向角度検出手段のうち少なくとも一方と、を有し、
前記保持検出手段または前記対向角度検出手段による検出結果に応じて、前記第一の表示部および前記第二の表示部のうち何れに操作画面を表示するか、並びに前記第一の表示部および前記第二の表示部のうち何れかのタッチパネル機能を無効にするか否か、を制御する
ことを特徴とする携帯電子機器。
【請求項２】
前記保持検出手段は、本体が保持された際の所定の圧力を検知する圧力センサであることを特徴とする、請求項１に記載の携帯電子機器。
【請求項３】
前記対向角度検出手段は、撮像装置を有し、撮影した画像の解析により使用者と本体との対向角度を検出することを特徴とする、請求項１または２に記載の携帯電子機器。
【請求項４】
第一の筐体と第二の筐体とこれらを連結するヒンジとを有し、該ヒンジを中心に、前記第一の筐体と前記第二の筐体とが開閉自在に配置され、
前記第一の筐体は、前記保持検出手段としての第一のセンサと、前記第一の表示部と、前記第一の筐体と前記第二の筐体との開閉状態を検出する開閉検出部と、制御部とを備え、
前記第二の筐体は、前記保持検出手段としての第二のセンサと、前記第二の表示部とを備え、
前記第一の表示部及び前記第二の表示部は、前記第一の筐体及び前記第二の筐体が前記ヒンジを中心として開かれたときに露出し、
前記制御部は、前記開閉検出部が前記第一の筐体と前記第二の筐体との開状態を検出した場合で、前記第一のセンサが前記第一の筐体の保持を検知したときは前記第一の表示部に操作用画面を表示させ前記第二の表示部のタッチパネル機能を無効とし、前記第二のセンサが前記第二の筐体の保持を検知したときは前記第二の表示部に操作用画面を表示させ前記第一の表示部のタッチパネル機能を無効にすることを特徴とする、請求項１乃至３のいずれか一項に記載の携帯電子機器。
【請求項５】
前記第一のセンサ及び前記第二のセンサは、有効又は無効にそれぞれ設定できることを特徴とする請求項４に記載の携帯電子機器。
【請求項６】
第一の筐体と第二の筐体とこれらを連結するヒンジとを有し、該ヒンジを中心に、前記第一の筐体と前記第二の筐体とが開閉自在に配置され、
前記第一の筐体は、前記対向角度検出手段として第三のセンサと前記第一の表示部と、前記第一の筐体と前記第二の筐体との開閉状態を検出する開閉検出部と、制御部と備え、
前記第二の筐体は、前記対向角度検出手段として第四のセンサと、前記第二の表示部とを備え、
前記第一の表示部及び前記第二の表示部は、前記第一の筐体及び前記第二の筐体が前記ヒンジを中心として開かれたときに露出し、
前記制御部は、前記開閉検出部が前記第一の筐体と前記第二の筐体との開状態を検出した場合、前記第三のセンサ及び前記第四のセンサに利用者の対向角度をそれぞれ検知させ、
前記第四のセンサが検知した使用者との対向角度が所定の向きであれば前記第一の表示部に操作用画面を表示させ前記第二の表示部のタッチパネル機能を無効とし、当該対向角度が所定の向きでない場合は前記第二の表示部に操作用画面を表示させ前記第一の表示部のタッチパネル機能を無効とし、
前記第三のセンサが検知した使用者との対向角度が所定の向きであれば前記第二の表示部に操作用画面を表示させ前記第一の表示部のタッチパネル機能を無効とし、当該対向角度が所定の向きでない場合は前記第一の表示部に操作用画面を表示させ前記第二の表示部のタッチパネル機能を無効とする
ことを特徴とする請求項１乃至３のいずれか一項に記載の携帯電子機器。
【請求項７】
前記制御部は、前記操作用画面に一定時間入力がない場合、前記操作用画面を消灯させることを特徴とする請求項４乃至６のいずれか一項に記載の携帯電子機器。
【請求項８】
前記第一の筐体は、第一のマイク及び第一のスピーカを、前記第二の筐体は、第二のマイク及び第二のスピーカを、それぞれ更に備え、
前記制御部は、前記第一の表示部に操作用画面を表示させる場合、前記第一のマイク及び前記第二のスピーカを有効とし、前記第二の表示部に操作用画面を表示させる場合、前記第二のマイク及び前記第一のスピーカを有効とすることを特徴とする請求項４乃至７のいずれか一項に記載の携帯電子機器。
【請求項９】
タッチパネル機能を有し操作画面を表示する第一の表示部および第二の表示部と、
本体が保持されていることを検出する保持検出手段、または使用者と本体との対向角度を検出する対向角度検出手段のうち少なくとも一方と、を有する携帯電子機器の制御方法であって、
前記保持検出手段または前記対向角度検出手段による検出結果に応じて、前記第一の表示部および前記第二の表示部のうち何れに操作画面を表示するか、並びに前記第一の表示部および前記第二の表示部のうち何れかのタッチパネル機能を無効にするか否か、を制御する手順を有することを特徴とする携帯電子機器の制御方法。
【請求項１０】
前記保持検出手段は、本体が保持された際の所定の圧力を検知する圧力センサであることを特徴とする、請求項９に記載の携帯電子機器の制御方法。
【請求項１１】
前記対向角度検出手段は、撮像装置を有し、撮影した画像の解析により使用者と本体との対向角度を検出することを特徴とする、請求項９または１０に記載の携帯電子機器の制御方法。
【請求項１２】
第一の筐体と第二の筐体とこれらを連結するヒンジとを有し、該ヒンジを中心に、前記第一の筐体と前記第二の筐体とが開閉自在に配置され、前記第一の筐体は、前記保持検出手段としての第一のセンサと、前記第一の表示部と、前記第一の筐体と前記第二の筐体との開閉状態を検出する開閉検出部と、制御部とを備え、前記第二の筐体は、前記保持検出手段としての第二のセンサと、前記第二の表示部とを備え、前記第一の表示部及び前記第二の表示部は、前記第一の筐体及び前記第二の筐体が前記ヒンジを中心として開かれたときに露出する携帯電子機器の制御方法であって、
前記開閉検出部が前記第一の筐体と前記第二の筐体との開状態を検出する手順と、
前記第一のセンサが前記第一の筐体の保持を検知する手順と、
前記第二のセンサが前記第二の筐体の保持を検知する手順と、
前記制御部が前記第一の筐体及び第二の筐体の保持の検知の結果から、前記第一の表示部及び前記第二の表示部の制御を行う手順と、
を備え、
前記制御を行う手順は、前記第一のセンサが前記第一の筐体の保持を検知したときは前記第一の表示部に操作用画面を表示させ前記第二の表示部のタッチパネル機能を無効とし、前記第二のセンサが前記第二の筐体の保持を検知したときは前記第二の表示部に操作用画面を表示させ前記第一の表示部のタッチパネル機能を無効にすることを特徴とする、請求項９乃至１１のいずれか一項に記載の携帯電子機器の制御方法。
【請求項１３】
前記第一のセンサ及び前記第二のセンサは、有効又は無効にそれぞれ設定できることを特徴とする請求項１２に記載の携帯電子機器の制御方法。
【請求項１４】
第一の筐体と第二の筐体とこれらを連結するヒンジとを有し、該ヒンジを中心に、前記第一の筐体と前記第二の筐体とが開閉自在に配置され、前記第一の筐体は、前記対向角度検出手段として第三のセンサと前記第一の表示部と、前記第一の筐体と前記第二の筐体との開閉状態を検出する開閉検出部と、制御部と備え、前記第二の筐体は、前記対向角度検出手段として第四のセンサと、前記第二の表示部とを備え、前記第一の表示部及び前記第二の表示部は、前記第一の筐体及び前記第二の筐体が前記ヒンジを中心として開かれたときに露出する携帯電子機器の制御方法であって、
前記開閉検出部が前記第一の筐体と前記第二の筐体との開状態を検出する手順と、
前記第三のセンサ及び前記第四のセンサが利用者の対向角度をそれぞれ検知する手順と、
前記制御部が前記利用者の対抗角度の検知の結果から、前記第一の表示部及び前記第二の表示部の制御を行う手順と、
を備え、
前記制御を行う手順は、前記第四のセンサが検知した使用者との対向角度が所定の向きであれば前記第一の表示部に操作用画面を表示させ前記第二の表示部のタッチパネル機能を無効とし、当該対向角度が所定の向きでない場合は前記第二の表示部に操作用画面を表示させ前記第一の表示部のタッチパネル機能を無効とし、前記第三のセンサが検知した使用者との対向角度が所定の向きであれば前記第二の表示部に操作用画面を表示させ前記第一の表示部のタッチパネル機能を無効とし、当該対向角度が所定の向きでない場合は前記第一の表示部に操作用画面を表示させ前記第二の表示部のタッチパネル機能を無効とする
ことを特徴とする、請求項９乃至１１のいずれか一項に記載の携帯電子機器の制御方法。
【請求項１５】
前記制御を行う手順は、前記操作用画面に一定時間入力がない場合、前記操作用画面を消灯させることを特徴とする請求項１２乃至１４のいずれか一項に記載の携帯電子機器の制御方法。
【請求項１６】
前記第一の筐体は、第一のマイク及び第一のスピーカを、前記第二の筐体は、第二のマイク及び第二のスピーカを、それぞれ更に備える携帯電子機器の制御方法であって、
前記制御を行う手順は、前記第一の表示部に操作用画面を表示させる場合、前記第一のマイク及び前記第二のスピーカを有効とし、前記第二の表示部に操作用画面を表示させる場合、前記第二のマイク及び前記第一のスピーカを有効とすることを特徴とする請求項１２乃至１５のいずれか一項に記載の携帯電子機器の制御方法。
【請求項１７】
タッチパネル機能を有し操作画面を表示する第一の表示部および第二の表示部と、
本体が保持されていることを検出する保持検出手段、または使用者と本体との対向角度を検出する対向角度検出手段のうち少なくとも一方と、を有する携帯電子機器の制御プログラムであって、
前記保持検出手段または前記対向角度検出手段による検出結果に応じて、前記第一の表示部および前記第二の表示部のうち何れに操作画面を表示するか、並びに前記第一の表示部および前記第二の表示部のうち何れかのタッチパネル機能を無効にするか否か、を制御する処理をコンピュータに実行させることを特徴とする携帯電子機器の制御プログラム。
【請求項１８】
前記保持検出手段は、本体が保持された際の所定の圧力を検知する圧力センサであることを特徴とする、請求項１７に記載の携帯電子機器の制御プログラム。
【請求項１９】
前記対向角度検出手段は、撮像装置を有し、撮影した画像の解析により使用者と本体との対向角度を検出することを特徴とする、請求項１７または１８に記載の携帯電子機器の制御プログラム。
【請求項２０】
第一の筐体と第二の筐体とこれらを連結するヒンジとを有し、該ヒンジを中心に、前記第一の筐体と前記第二の筐体とが開閉自在に配置され、前記第一の筐体は、前記保持検出手段としての第一のセンサと、前記第一の表示部と、前記第一の筐体と前記第二の筐体との開閉状態を検出する開閉検出部と、制御部とを備え、前記第二の筐体は、前記保持検出手段としての第二のセンサと、前記第二の表示部とを備え、前記第一の表示部及び前記第二の表示部は、前記第一の筐体及び前記第二の筐体が前記ヒンジを中心として開かれたときに露出する携帯電子機器の制御プログラムであって、
前記開閉検出部が前記第一の筐体と前記第二の筐体との開状態を検出する処理と、
前記第一のセンサが前記第一の筐体の保持を検知する処理と、
前記第二のセンサが前記第二の筐体の保持を検知する処理と、
前記制御部が前記第一の筐体及び第二の筐体の保持の検知の結果から、前記第一の表示部及び前記第二の表示部の制御を行う処理と、
をコンピュータに実行させ、
前記制御を行う処理は、前記第一のセンサが前記第一の筐体の保持を検知したときは前記第一の表示部に操作用画面を表示させ前記第二の表示部のタッチパネル機能を無効とし、前記第二のセンサが前記第二の筐体の保持を検知したときは前記第二の表示部に操作用画面を表示させ前記第一の表示部のタッチパネル機能を無効にすることを特徴とする、請求項１７乃至１９のいずれか一項に記載の携帯電子機器の制御プログラム。
【請求項２１】
前記第一のセンサ及び前記第二のセンサは、有効又は無効にそれぞれ設定できることを特徴とする請求項２０に記載の携帯電子機器の制御プログラム。
【請求項２２】
第一の筐体と第二の筐体とこれらを連結するヒンジとを有し、該ヒンジを中心に、前記第一の筐体と前記第二の筐体とが開閉自在に配置され、前記第一の筐体は、前記対向角度検出手段として第三のセンサと前記第一の表示部と、前記第一の筐体と前記第二の筐体との開閉状態を検出する開閉検出部と、制御部と備え、前記第二の筐体は、前記対向角度検出手段として第四のセンサと、前記第二の表示部とを備え、前記第一の表示部及び前記第二の表示部は、前記第一の筐体及び前記第二の筐体が前記ヒンジを中心として開かれたときに露出する携帯電子機器の制御プログラムであって、
前記開閉検出部が前記第一の筐体と前記第二の筐体との開状態を検出する処理と、
前記第三のセンサ及び前記第四のセンサが利用者の対向角度をそれぞれ検知する処理と、
前記制御部が前記利用者の対抗角度の検知の結果から、前記第一の表示部及び前記第二の表示部の制御を行う処理と、
をコンピュータに実行させ、
前記制御を行う処理は、前記第四のセンサが検知した使用者との対向角度が所定の向きであれば前記第一の表示部に操作用画面を表示させ前記第二の表示部のタッチパネル機能を無効とし、当該対向角度が所定の向きでない場合は前記第二の表示部に操作用画面を表示させ前記第一の表示部のタッチパネル機能を無効とし、前記第三のセンサが検知した使用者との対向角度が所定の向きであれば前記第二の表示部に操作用画面を表示させ前記第一の表示部のタッチパネル機能を無効とし、当該対向角度が所定の向きでない場合は前記第一の表示部に操作用画面を表示させ前記第二の表示部のタッチパネル機能を無効にすることを特徴とする、請求項１７乃至１９のいずれか一項に記載の携帯電子機器の制御プログラム。
【請求項２３】
前記制御を行う処理は、前記操作用画面に一定時間入力がない場合、前記操作用画面を消灯させることを特徴とする請求項２０乃至２２のいずれか一項に記載の携帯電子機器の制御プログラム。
【請求項２４】
前記第一の筐体は、第一のマイク及び第一のスピーカを、前記第二の筐体は、第二のマイク及び第二のスピーカを、それぞれ更にコンピュータに実行させる携帯電子機器の制御プログラムであって、
前記制御を行う処理は、前記第一の表示部に操作用画面を表示させる場合、前記第一のマイク及び前記第二のスピーカを有効とし、前記第二の表示部に操作用画面を表示させる場合、前記第二のマイク及び前記第一のスピーカを有効とすることを特徴とする請求項２０乃至２３のいずれか一項に記載の携帯電子機器の制御プログラム。
【手続補正２】
【補正対象書類名】明細書
【補正対象項目名】０００９
【補正方法】変更
【補正の内容】
【０００９】
上述の問題を解決するため、本発明に係る携帯電子機器は、タッチパネル機能を有し操作画面を表示する第一の表示部および第二の表示部と、本体が保持されていることを検出する保持検出手段、または使用者と本体との対向角度を検出する対向角度検出手段のうち少なくとも一方と、を有し、前記保持検出手段または前記対向角度検出手段による検出結果に応じて、前記第一の表示部および前記第二の表示部のうち何れに操作画面を表示するか、並びに前記第一の表示部および前記第二の表示部のうち何れかのタッチパネル機能を無効にするか否か、を制御することを特徴とする。
【手続補正３】
【補正対象書類名】明細書
【補正対象項目名】００１０
【補正方法】変更
【補正の内容】
【００１０】
上述の問題を解決するため、本発明に係る携帯電子機器の制御方法は、タッチパネル機能を有し操作画面を表示する第一の表示部および第二の表示部と、本体が保持されていることを検出する保持検出手段、または使用者と本体との対向角度を検出する対向角度検出手段のうち少なくとも一方と、を有する携帯電子機器の制御方法であって、前記保持検出手段または前記対向角度検出手段による検出結果に応じて、前記第一の表示部および前記第二の表示部のうち何れに操作画面を表示するか、並びに前記第一の表示部および前記第二の表示部のうち何れかのタッチパネル機能を無効にするか否か、を制御する手順を有することを特徴とする。
【手続補正４】
【補正対象書類名】明細書
【補正対象項目名】００１１
【補正方法】変更
【補正の内容】
【００１１】
上述の問題を解決するため、本発明に係る携帯電子機器の制御プログラムは、タッチパネル機能を有し操作画面を表示する第一の表示部および第二の表示部と、本体が保持されていることを検出する保持検出手段、または使用者と本体との対向角度を検出する対向角度検出手段のうち少なくとも一方と、を有する携帯電子機器の制御プログラムであって、前記保持検出手段または前記対向角度検出手段による検出結果に応じて、前記第一の表示部および前記第二の表示部のうち何れに操作画面を表示するか、並びに前記第一の表示部および前記第二の表示部のうち何れかのタッチパネル機能を無効にするか否か、を制御する処理をコンピュータに実行させることを特徴とする。